(57)【要約】【課題】操作盤を前扉から取り外すと第１及び第２の表示パネルを共に前扉の表面側から容易に取り外せるようにし、面替え時の作業効率を高め得る遊技機を提供する。【解決手段】前扉１の中央部に、種々の操作部を配置してなる操作盤３を設けるとともに、この操作盤よりも上側に筐体内に設けられた図柄表示装置を観察するための観察窓を有する第１の表示パネル部１０を、操作盤よりも下側に第２の表示パネル部１１をそれぞれ設ける。この第１及び第２の表示パネル部を、共に表示パネル２０，３０の周縁を保持部材２１，３１により保持して構成する。上記操作盤を、第１の表示パネル部の下縁及び第２の表示パネル部の上縁を共に前扉の前方より押えた状態でかつ前扉の裏面側から固定部材により前扉に固定し、上記第１及び第２の表示パネル部を、共にこの操作盤を前扉から取り外したとき表示パネルが保持部材から抜き取り可能となるように設ける。【選択図】      図３
2004147982.tif 000002
【特許請求の範囲】
【請求項１】
筐体の前方開口部に前扉が開閉可能に取り付けられ、この前扉には中央部に、種々の操作部を配置してなる操作盤が設けられているとともに、この操作盤よりも上側に筐体内に設けられた図柄表示装置を観察するための観察窓を有する第１の表示パネル部が、操作盤よりも下側に第２の表示パネル部がそれぞれ設けられており、この第１及び第２の表示パネル部は、共に表示パネルの周縁を保持部材により保持してなり、
上記操作盤は、第１の表示パネル部の下縁及び第２の表示パネル部の上縁を共に前扉の前方より押えた状態でかつ前扉の裏面側から固定部材により前扉に固定されており、上記第１及び第２の表示パネル部は、共にこの操作盤を前扉から取り外したとき表示パネルが保持部材から抜き取り可能となるように設けられていることを特徴とする遊技機。
【請求項２】
上記第１の表示パネル部の保持部材は、表示パネルの全周縁を保持する矩形枠状のものでかつその上枠部側を支点にして前扉に対し前方に回動可能に支持され、第１の表示パネル部の表示パネルは、この保持部材を前方に回動させた状態で保持部材の裏面側から外されて下方に抜き取り可能に設けられており、上記第２の表示パネル部の保持部材は、表示パネルの全周縁を保持する矩形枠状のものでかつその上枠部に表示パネルを引き出し可能なスリットを有し、このスリットは、上記操作盤の固定状態では操作盤により覆われるようになっている請求項１記載の遊技機。
【請求項３】
上記第１の表示パネル部の保持部材の回動支点は、保持部材の上枠部の内縁よりも下方位置に設定されているとともに、保持部材の上枠部の内縁は、表示パネルの上縁よりも下方位置で表示パネルの表面に当接しており、前扉にはこの保持部材の上枠部の内縁と表示パネルの上縁との間で表示パネルの裏面に当接可能な突起部が設けられていて、第１の表示パネル部を保持部材の回動支点を中心に前方に回動させたとき上記突起部が表示パネルの裏面に当接して表示パネルが保持部材の上枠部の内縁を支点として回動することにより表示パネルの下縁側が保持部材の裏面側から外れて下方に抜け出るようになっている請求項２記載の遊技機。
【請求項４】
上記第２の表示パネル部の保持部材は、その下枠部を支点にして前扉に対し前方に回動可能に支持されているとともに、この保持部材の回動角を規制する規制部材が設けられている請求項２又は３記載の遊技機。
【請求項５】
上記各表示パネル部の保持部材は、表示パネルの全周縁を保持する矩形枠状のものでかつその左右いずれか一方の側枠部が前扉に対し前方に回動可能に支持されているとともに、他方の側枠部に表示パネルを引き出し可能なスリットを有し、このスリットは、各表示パネル部の取付状態では前扉に設けた突条部により覆われるようになっている請求項１記載の遊技機。
【請求項６】
上記前扉には、表示パネル部の保持部材の回動支点と反対側の部位に当接して表示パネル部を常時付勢する弾性部材が設けられている請求項２〜５のいずれか一つに記載の遊技機。
【発明の詳細な説明】
【０００１】
【発明の属する技術分野】
本発明は、スロットマシンなどの遊技機に関し、特に、前扉に設けられる表示パネルの取付構造に係わる。
【０００２】
【従来の技術】
一般に、スロットマシンにおいては、リール装置やホッパーなどの装置類を収納する箱型の筐体の前方開口部に前扉が開閉可能に取り付けられ、この前扉の中央部に始動スイッチや停止スイッチなどの操作部を配置してなる操作盤が設けられているとともに、前扉の操作盤よりも上側の部位に筐体内のリール装置のリール図柄を観察するための観察窓を有する第１の表示パネルが、前扉の操作盤よりも下側の部位に機種名などを印刷してなる第２の表示パネル（タイトルパネルともいう）がそれぞれ設けられている。
【０００３】
そして、上記第１の表示パネルは、通常、前扉の裏面側にネジ止めされるランプ板の前側に嵌め込まれ、このランプ板と共に前扉に固定されている。また、第２の表示パネルの取付構造として、例えば特許文献１に開示されるように、表示パネルの交換を容易にするために、表示パネルを取付枠体とベース部材との間に挟んで保持し、この三者を前扉の表面側より当接して前扉に係合構造により係合するとともに、前扉の裏面側から固定部材により取付枠体とベース部材とを前扉に固定するようにしたものが知られている。尚、特許文献１には、表示パネルをフレーム（保持部材）により保持し、このフレームを前扉にその表面側から係合構造により係合しかつ前扉の裏面側からネジ止めすることも開示されている。
【０００４】
【特許文献１】
特開平７−３１７１７号公報（第１−４頁、図１−図５）
【０００５】
【発明が解決しようとする課題】
ところで、スロットマシンの面替え時には、第１の表示パネルと第２の表示パネルとを共に交換するのが普通である。しかるに、上記従来の表示パネルの取付構造では、第１の表示パネルと第２の表示パネルとでそれぞれ別々に取り外し及び取り付けを行わなければならず、手間が多くかかるという問題があった。
【０００６】
本発明はかかる点に鑑みてなされたものであり、その課題とするところは、スロットマシンなどの遊技機において、特に、第１の表示パネルと第２の表示パネルとの間に位置する操作盤に着目し、この操作盤を前扉から取り外すと第１及び第２の表示パネルを共に前扉の表面側から容易に取り外せるようにし、もって面替え時の作業効率を高め得る遊技機を提供せんとするものである。
【０００７】
【課題を解決するための手段】
上記の課題を解決するため、請求項１に係る発明は、遊技機として、筐体の前方開口部に前扉を開閉可能に取り付け、この前扉の中央部に、種々の操作部を配置してなる操作盤を設けるとともに、この操作盤よりも上側に筐体内に設けられた図柄表示装置を観察するための観察窓を有する第１の表示パネル部を、操作盤よりも下側に第２の表示パネル部をそれぞれ設け、この第１及び第２の表示パネル部を、共に表示パネルの周縁を保持部材により保持してなる構成とする。また、上記操作盤を、第１の表示パネル部の下縁及び第２の表示パネル部の上縁を共に前扉の前方より押えた状態でかつ前扉の裏面側から固定部材により前扉に固定し、上記第１及び第２の表示パネル部を、共にこの操作盤を前扉から取り外したとき表示パネルが保持部材から抜き取り可能となるように設ける構成とする。
【０００８】
この構成では、遊技機の面替え時には、先ず、前扉を開けた状態でその裏面側から操作盤の固定部材を外して操作盤を前扉の前方に取り外す。すると、第１及び第２の表示パネル部は、共に表示パネルが保持部材から抜き取り可能になるため、この両表示パネルの取り外しひいては交換を容易に行うことができる。
【０００９】
請求項２に係る発明は、請求項１記載の遊技機において、第１及び第２の表示パネル部を、共に表示パネルが保持部材から抜き取り可能となるように設けるための一つの具体的な形態を提供するものである。すなわち、上記第１の表示パネル部の保持部材は、表示パネルの全周縁を保持する矩形枠状のものでかつその上枠部側を支点にして前扉に対し前方に回動可能に支持され、第１の表示パネル部の表示パネルは、この保持部材を前方に回動させた状態で保持部材の裏面側から外されて下方に抜き取り可能に設けられており、上記第２の表示パネル部の保持部材は、表示パネルの全周縁を保持する矩形枠状のものでかつその上枠部に表示パネルを引き出し可能なスリットを有し、このスリットは、上記操作盤の固定状態では操作盤により覆われるようになっている構成とする。
【００１０】
請求項３に係る発明は、請求項２記載の遊技機において、特に、第１の表示パネル部のより好ましい形態を提供する。すなわち、上記第１の表示パネル部の保持部材の回動支点は、保持部材の上枠部の内縁よりも下方位置に設定されているとともに、保持部材の上枠部の内縁は、表示パネルの上縁よりも下方位置で表示パネルの表面に当接しており、前扉にはこの保持部材の上枠部の内縁と表示パネルの上縁との間で表示パネルの裏面に当接可能な突起部が設けられていて、第１の表示パネル部を保持部材の回動支点を中心に前方に回動させたとき上記突起部が表示パネルの裏面に当接して表示パネルが保持部材の上枠部の内縁を支点として回動することにより表示パネルの下縁側が保持部材の裏面側から外れて下方に抜け出るようになっている構成とする。この構成では、遊技機の面替え時に第１の表示パネル部を保持部材の回動支点を中心に回動させたとき、前扉に設けた突起部が表示パネルの裏面に当接して表示パネルが保持部材の上枠部の内縁を支点として回動することにより表示パネルの下縁側が保持部材の裏面側から外れて表示パネルが下方に抜け出るため、表示パネルの交換をより容易に行うことができる。
【００１１】
請求項４に係る発明は、請求項２又は３記載の遊技機において、上記第２の表示パネル部の保持部材を、その下枠部を支点にして前扉に対し前方に回動可能に支持させるとともに、この保持部材の回動角を規制する規制部材を設ける構成とする。この構成では、遊技機の面替え時に操作盤を取り外した後第２の表示パネル部においてその保持部材の上枠部のスリットから表示パネルを引き出すとき、保持部材を下枠部を中心に回動させ、その回動角を規制部材により規制して保持部材を傾斜状態に保持させることにより、表示パネルの引き出しを容易に行うことができる。
【００１２】
請求項５に係る発明は、請求項１記載の遊技機において、第１及び第２の表示パネル部を、共に表示パネルが保持部材から抜き取り可能となるように設けるための請求項２に係る発明とは別の具体的な形態を提供するものである。すなわち、上記各表示パネル部の保持部材は、表示パネルの全周縁を保持する矩形枠状のものでかつその左右いずれか一方の側枠部が前扉に対し前方に回動可能に支持されているとともに、他方の側枠部に表示パネルを引き出し可能なスリットを有し、このスリットは、各表示パネル部の取付状態では前扉に設けた突条部により覆われるようになっている構成とする。
【００１３】
請求項６に係る発明は、請求項２〜５のいずれか一つに記載の遊技機において、上記前扉に、表示パネル部の保持部材の回動支点と反対側の部位に当接して表示パネル部を常時付勢する弾性部材を設ける構成とする。この構成では、遊技機の面替え時に操作盤を取り外したとき、第１又は第２の表示パネル部においては、その保持部材の回動支点と反対側の部位にて弾性部材の付勢力により保持部材が前扉側から前方に押し出されるため、この保持部材から表示パネルを抜き取ることがその分容易なものになる。
【００１４】
【発明の実施の形態】
以下、本発明の実施の形態を図面に基づいて説明する。
図１ないし図３は本発明の第１の実施形態に係る遊技機としてのスロットマシンＡを示す。このスロットマシンＡの遊技面を構成する前扉１は、筐体２の前方開口部２ａに左側をヒンジ側として開閉可能に取り付けられている。
【００１５】
上記前扉１にはその中央部に操作盤３が設けられ、この操作盤３上には操作部としてメダル投入口４、始動スイッチ５及び３つの停止スイッチ６，６，６などが適宜配置されている。前扉１の操作盤３よりも上側の上部には上部ランプ７、上部パネル８、左右２つのスピーカ９，９及び第１の表示パネル部としての中間パネル部１０が設けられているとともに、前扉１の操作盤３よりも下側の下部には第２の表示パネル部としての下部パネル部１１、メダル払出口１２及びメダル受け皿１３が設けられている。上部パネル８には配当表などが印刷されている。
【００１６】
上記中間パネル部１０は、矩形平板状の表示パネル２０とこの表示パネル２０の全周縁つまり四辺全部を保持する矩形枠状の保持部材２１とからなり、表示パネル２０は、アクリル板のような透明な合成樹脂板や強化ガラス板などの裏面にシルクスクリーン印刷により絵柄や模様などを施してなり、この表示パネル２０の中央部には、シルクスクリーン印刷を施さず透明なままの部分である矩形状の観察窓２２が形成されている。この観察窓２２からは、筐体２内に配置された図柄表示装置としてのリール装置の３つの回転リール２３，２３，２３の各外周面に一列に描かれた図柄（図示せず）が３つずつ見えるようになっており、始動スイッチ５の操作により各回転リール２３を回転させた後停止スイッチ６の操作によりその回転を停止させたとき観察窓２２の有効ライン上に所定の図柄が揃うか否かによって遊技が行われる。また、表示パネル２０の観察窓２２の周囲からは、前扉１の裏面側に取り付けられたランプ板（図示せず）に設けた役物当選回数表示器２６や獲得枚数表示器２７などの表示器による表示及び各種の表示ランプ（図示せず）の点灯が透視可能になっている。
【００１７】
上記下部パネル部１１は、中間パネル部１０と同じく矩形平板状の表示パネル３０とこの表示パネル３０の全周縁つまり四辺全部を保持する矩形枠状の保持部材３１とからなり、表示パネル３０は、タイトルパネルとして合成樹脂板の裏面に機種名などを印刷してなる。前扉１の裏面側には、図示していないが、この表示パネル３０を照らす蛍光灯が設けられている。
【００１８】
上記操作盤３は、四隅部に各々ネジ止めボス部３ａを有し、中間パネル部１０の下縁（下辺）及び下部パネル部１１の上縁（上辺）を共に前扉１の前方より押えた状態でかつ前扉１の裏面側から上記各ネジ止めボス部３ａに固定部材としての固定ネジ３２をねじ込むことにより前扉１に固定されており、上記中間パネル部１０及び下部パネル部１１は、共にこの操作盤３を前扉１から取り外したとき表示パネル２０，３０が保持部材２１，３１から抜き取り可能となるように設けられている。
【００１９】
すなわち、上記中間パネル部１０の保持部材２１は、その左右２つの側枠部２１ｃ、２１ｄの上部に各々後方に突出するフック部３３を有し、このフック部３３を前扉１に設けた支軸３４に係合させることによりこの支軸３４を回動支点にして前扉１に対し前方に回動可能に支持されている。この保持部材２１の回動支点（つまり支軸３４）は、保持部材２１の上枠部２１ａの内縁２１ｅよりも下方位置に設定されているとともに、保持部材２１の上枠部２１ａの内縁２１ｅは、表示パネル２０の上縁２０ａよりも下方位置で表示パネル２０の表面に当接しており、前扉１にはこの保持部材２１の上枠部２１ａの内縁２１ｅと表示パネル２０の上縁２０ａとの間で表示パネル２０の裏面に当接可能な突起部３５が左右２つ設けられている。そして、中間パネル部１０を保持部材２１の回動支点３４を中心に前方に回動させたとき上記突起部３５が表示パネル２０の裏面に当接して表示パネル２０が保持部材２１の上枠部２１ａの内縁２１ｅを支点として回動することにより表示パネル２０の下縁側が保持部材２１の裏面側から外れて下方に抜け出るようになっている。前扉１には、中間パネル部１０の保持部材１０の回動支点３４を反対側の部位である表示パネル２０下縁部に当接して中間パネル部１０を常時付勢する弾性部材としての板バネ３６が左右２つ設けられている。
【００２０】
また、上記下部パネル部１１の保持部材３１は、その下枠部３１ｂに前扉１に設けられた開口部４０の下縁部に係合する係合部４１を有し、この係合部４１ないし下枠部３１ｂを回動支点にして前扉１に対し前方に回動可能に支持されている。この保持部材３１の上枠部３１ａには下部パネル部１１の横幅略全長に亘って延びるスリット４２が形成されており、下部パネル部１１の表示パネル３０は、その上縁がスリット４２から上方に突出した状態で保持部材３１に保持されているとともに、スリット４２を通して保持部材３１から引き出し可能に設けられている。上記スリット４２及びこのスリット４２から上方に突出する表示パネル３０の上縁は、上記操作盤３の固定状態では操作盤３により覆われるようになっている。前扉１には、下部パネル部１１の保持部材３１の回動支点（係合部４１）と反対側の部位である表示パネル３０上縁部に当接して下部パネル部１１を常時付勢する弾性部材としての板バネ４３が左右２つ設けられているとともに、この板バネ４３の近傍に保持部材３１の回動角を規制する規制部材４４が左右２つ設けられている。この規制部材４４は、２つのリンク材を折り曲げ自在に連結したものであり、その一端は前扉１に、他端は保持部材３１の側枠部３１ｃ又は３１ｄにそれぞれ回転自在に連結されている。
【００２１】
次に、上記スロットマシンＡの面替え時における作業手順について、図４などを参照しながら説明する。スロットマシンＡのメーカー側での面替え時には、先ず、前扉１を開けた状態でその裏面側から操作盤３の固定ネジ３２を外して操作盤３を前扉１の前方に取り外す（図４（ａ）参照）。すると、中間パネル部１０は、前扉１側の板バネ３６により下縁側が前方に押し出される。また、下部パネル部１１は、同じく前扉１側の板バネ４３により上縁側が前方に押し出され、規制部材４４により規制される状態にまで傾斜する。
【００２２】
続いて、下部パネル部１１の表示パネル３０を枠部３１の上枠部３１ａのスリット４２から上方に引き出す（図４（ｂ）参照）。その際、表示パネル３０の上縁がスリット４２から上方に突出している上、下部パネル部１１の上縁側が前扉１より前方に押し出されて傾斜した状態にあるため、表示パネル３０の引き出しを容易にかつ迅速に行うことができる。
【００２３】
しかる後、中間パネル部１０の下縁側を持って前方に引き寄せるように中間パネル部１０を支軸３４回りに回動させる（図４（ｃ）参照）。その際、中間パネル部１０の下縁側は、前扉１側の板バネ３６により前方に押し出されているため、この下縁側を持って中間パネル部１０を回動させることを容易にかつ迅速に行うことができる。また、中間パネル部１０を所定角度以上回動させたときには、前扉１側の突起部３５が中間パネル部１０の表示パネル２０の裏面に当接して表示パネル２０が保持部材２１の上枠部２１ａの内縁２１ｅを支点として回動することにより、表示パネル２０の下縁側が保持部材２１の裏面側から外れて表示パネル２０が下方に抜け出る（図４（ｄ）参照）。このため、表示パネル２０の取り外しを容易にかつ迅速に行うことができる。
【００２４】
このように、本実施形態においては、面替え時における中間パネル部１０及び下部パネル部１１の表示パネル２０，３０の取り外しを容易にかつ迅速に行うことができるので、作業効率を大幅に高めることができる。尚、中間パネル部１０及び下部パネル部１１の表示パネル２０，３０の取り付けは、取り外しと逆の手順によって行われる。
【００２５】
図５及び図６は本発明の第２の実施形態に係るスロットマシンＢを示す。このスロットマシンＢは、第１の実施形態に係るスロットマシンＡと比較して、中間パネル部１０及び下部パネル部１１において、それぞれ操作盤３を前扉１から取り外したとき表示パネル２０，３０を保持部材２１，３１から抜き取り可能に設ける構成が異なるだけである。尚、この構成は、中間パネル部１０と下部パネル部１１とで同じであり、以下の説明では下部パネル部１１の場合を例に説明する。また、スロットマシンＢのその他の構成は、第１の実施形態に係るスロットマシンＡの場合と同じであり、同一部材には同一符号を付してその説明は省略する。
【００２６】
すなわち、上記下部パネル部１１の保持部材３１は、その左側の側枠部３１ｃにフック部５１を有し、このフック部５１を前扉１に設けた支軸５２に係合させることによりこの支軸５２を回動支点にして前扉１に対し前方に回動可能に支持されている。また、保持部材３１の右側の側枠部３１ｄには下部パネル部１１の縦方向略全長に亘って延びるスリット５３が形成され、このスリット５３を通して表示パネル３０が保持部材３１から引き出し可能に設けられている。上記スリット５３は、下部パネル部１１の取付状態では前扉１に突出形成した縦方向に延びる突条部５４により覆われるようになっている。前扉１には上記突条部５４に近接した位置に、下部パネル部１１の保持部材３１の回動支点（つまり支軸５２）と反対側の部位である表示パネル３０右縁部に当接して下部パネル部１１を常時付勢する弾性部材としての板バネ５５が上下２つ設けられている。
【００２７】
そして、上記スロットマシンＢにおいても、第１の実施形態に係るスロットマシンＡの場合と同様に、面替え時に操作盤３を取り外すと中間パネル部１０及び下部パネル部１１において、共に表示パネル２０，３０が保持部材２１．３１から抜き取り可能に設けられているため、表示パネル２０，３０の取り出しひいては交換を容易にかつ迅速に行うことができ、作業効率を高めることができるのは勿論である。
【００２８】
尚、本発明は上記第１及び第２の実施形態に限定されるものではなく、その他種々の実施形態を包含するものである。例えば上記第１の実施形態では、中間パネル部１０を上部側の支軸３４回りに前方に回動させたとき、前扉１側の突起部３５との接触により中間パネル部１０の表示パネル２０が保持部材２１の上枠部２１ａの内縁２１ｅを支点として回動することにより表示パネル２０の下縁側が保持部材２１の裏面側から外れて下方に抜け出るように構成したが、本発明は、中間パネル部１０を前方に回動させた状態で、手動により表示パネル２０を保持部材２１の裏面側から外して下方に抜き取り、あるいは保持部材２１の下枠部に設けたスリットから表示パネル２０を下方に抜き取るように構成してもよい。
【００２９】
また、上記各実施形態では、第１の表示パネル部としての中間パネル部１０及び第２のパネル部としての下部パネル部１１を、共に矩形平板状の表示パネル２０，３０の全周縁つまり四辺全部を矩形枠状の保持部材２１，３１により保持して構成したが、本発明は、中間パネル部１０の表示パネル２０の下縁を除く周縁（つまり上縁及び左右２つの側縁）及び下部パネル部１１の表示パネル３０の上縁を除く周縁（つまり下縁及び左右２つの側縁）をそれぞれ保持部材により保持し、中間パネル部１０の表示パネル２０の下縁及び下部パネル部１１の表示パネル３０の上縁を操作盤３により前扉１の前方より押えて固定するように構成してもよい。この場合にも、操作盤３を前扉１から取り外すと中間パネル部１０の表示パネル２０及び下部パネル部１１の表示パネル３０を共に保持部材から抜き取ることができる。また、本発明は、第１及び第２の表示パネル部及びその表示パネルとしては、上記各実施形態の如く矩形状のものに限らず、三角形状や五角形状のものなどにも適用することができる。
【００３０】
さらに、上記各実施形態では、いずれも前扉１に上部パネル８と中間パネル部１０と下部パネル部１１の３つのパネルないしパネル部が設けられたスロットマシンＡ，Ｂについて述べたが、本発明は、前扉に操作盤を挟んで上下２つのパネル部のみが設けられたスロットマシン、あるいは筐体内にリール装置の代わりに、ベルトの外周面に図柄を描いてなるベルト式図柄表示装置やＬＣＤなど他の図柄表示装置が設けられてなる遊技機などにも同様に適用できるのは言うまでもない。
【００３１】
【発明の効果】
以上のように、本発明の遊技機によれば、遊技機の面替え時に前扉を開けた状態でその裏面側から操作盤の固定部材を外して操作盤を前扉の表面側に取り外すと、第１及び第２の表示パネル部の両方で共に表示パネルが保持部材から抜き取り可能になるため、表示パネルの交換を容易に行うことができ、作業効率を高めることができる。
【００３２】
特に、請求項３に係る発明では、遊技機の面替え時に第１の表示パネル部を保持部材の回動支点を中心に回動させたとき表示パネルの下縁側が保持部材の裏面側から外れて表示パネルが下方に抜け出るため、表示パネルの交換をより容易に行うことができ、作業効率をより高めることができる。
【００３３】
また、請求項４に係る発明では、遊技機の面替え時に第２の表示パネル部においてその保持部材の上枠部のスリットから表示パネルを引き出すとき、保持部材を傾斜状態に保持させることができるので、表示パネルの引き出しを容易に行うことができ、作業効率をより高めることができる。
【００３４】
さらに、請求項６に係る発明では、遊技機の面替え時に操作盤を取り外したとき、第１又は第２の表示パネル部においては、その保持部材の回動支点と反対側の部位にて弾性部材の付勢力により保持部材が前扉側から前方に押し出されるため、この保持部材から表示パネルを抜き取る作業を容易に行うことができ、作業効率をより一層高めることができる。
【図面の簡単な説明】
【図１】本発明の第１の実施形態に係るスロットマシンの外観を示す正面図である。
【図２】同右側面図である。
【図３】図１のＸ−Ｘ線における拡大断面図である。
【図４】面替え時の作業手順を説明するための説明図である。
【図５】第２の実施形態を示す図１相当図である。
【図６】図５のＹ−Ｙ線における断面図であり、（ａ）は通常状態を示し、（ｂ）及び（ｃ）は面替え時の状態を示す。
【符号の説明】
Ａ，Ｂ    スロットマシン（遊技機）
１    前扉
２    筐体
２ａ  前方開口部
３    操作盤
４    メダル投入口（操作部）
５    始動スイッチ（操作部）
６    停止スイッチ（操作部）
１０    中間パネル部（第１の表示パネル部）
１１    下部パネル部（第２の表示パネル部）
２０，３０    表示パネル
２１，３１    保持部材
２２    観察窓
３２    固定ネジ（固定部材）
３４    支軸（回動支点）
３５    突起部
３６，４３，５５    板バネ
４２，５３    スリット
４４    規制部材
５４    突条部
【図１】
2004147982.tif 000003
【図２】
2004147982.tif 000004
【図３】
2004147982.tif 000005
【図４】
2004147982.tif 000006
【図５】
2004147982.tif 000007
【図６】
2004147982.tif 000008